(57)【要約】      （修正有）【課題】身体の患部を刺激して血行を促進し、痛みを癒し、永続的に効き目を発揮する発泡体シートの提供。【解決手段】発泡体シートに高圧水中で酸素と水素の混合ガスを燃焼させ、その燃焼ガスで金属チタンを加熱し、粉末化させることにより製造されたチタン粉末をエラストマー材料に配合して作成した発泡体シートを配設した身体装身具、衣類、サポーター、包帯、マスク、ヘッドマスク、手袋、腹巻き、ソックス、帽子、肌着又は運動着。【選択図】図１
0003108493.tif 000002
【実用新案登録請求の範囲】
【請求項１】
高圧水中で酸素と水素の混合ガスを燃焼させ、その燃焼ガスで金属チタンを加熱し、粉末化させることにより得られたチタン粉末をエラストマー材料に配合してなる発泡体シート。
【請求項２】
上記チタン粉末が、発泡体シートに対して１〜２０wt％を占めることを特徴とする請求項１に記載の発泡体シート。
【請求項３】
上記チタン粉末が、ゴム、ウレタン系及びスチレン系エラストマーの単独又は混合物に配合されたものである請求項１又は２に記載の発泡体シート。
【請求項４】
請求項１〜３のいずれかに記載の発泡体シートを配設したことを特徴とする身体装身具、衣類、サポーター、包帯、マスク、ヘッドマスク、手袋、腹巻き、ソックス、帽子、肌着又は運動着。
【考案の詳細な説明】
【技術分野】
【０００１】
本考案は、主として身体に良い影響を与えるチタン粉末を含有する発泡体シートに関する。
また、本考案は、チタン粉末を含有する発泡体シートを配設した身体装身具、衣類、サポーター、包帯、マスク、ヘッドマスク、手袋、腹巻き、ソックス、帽子、肌着又は運動着に関する。
更に詳細には、本考案は、身体の患部を刺激して血行を促進し、痛みを癒すことができる効果があり、従来のチタンを含有する身体装身具等や磁性体に比して、永続的に効き目があるといった優れた効果を有するチタン粉末含有の発泡体シートに関する。
【背景技術】
【０００２】
従来から、一定の磁気や電気が人体によい影響を与えることが知られていた。例えば、肩こり解消などの疲労回復作用が得られたり、爽快感が得られたり、ストレスが解消されるといった効果が得られていた。実際、登録実用新案第３０３７６７８号公報（特許文献１）にあるように摩擦や熱により電気を発生させる電気石を用いたチューブが考案されているが、電気石の粉末が固定できず漏出してしまう問題点があった。また、チタン系新素材が血行促進や代謝促進を行うため健康が増進され、害もないことから近年頻繁に用いられるようになった。例えば、特開２００２−３０５０４号公報（特許文献２）には、チタンを薄膜状に且つテープ状に被覆した又は薄膜状のチタンをテープ状に形成した複数のチタンテープを身体装身具、又は衣類、又は身体貼り付け具、に用いることが開示され、特開２００３−２９０２６９号公報（特許文献３）には、トルマリンなどと酸化チタン等を漉き込んだ紙を用いたことを特徴とするサポーターが開示されている。また、登録実用新案第３０４５８３５号公報（特許文献４）にはチタン単体やチタン化合物などのチタン系新素材を分散させた中間層と、表裏の両層からなる積層体の健康バンドを手首や足首に巻き付けて使用することが開示され、登録実用新案第３０６１４６６号公報（特許文献５）では、足裏のツボ当て表面にチタン単体やチタン化合物などのチタン系素材を含有させた接着剤で色柄の布を貼り、足踵まで挿入可能とした外縁を有する健康スリッパが開示されている。これらはいずれもチタンが身体の患部を刺激して血行が促進され、製造コストも廉価であるとされているが、その効果面において満足するものではない。上記技術におけるチタン系化合物の使用では、健康増進の機能が十分でなかったり、装着の快適性に満足のいくものではなかった。また、チタン単体ではあっても、健康装身具としては、その効能面では需要者のニーズを満たすものではなかった。
【０００３】
【特許文献１】登録実用新案第３０３７６７８号公報
【特許文献２】特開２００２−３０５０４号公報
【特許文献３】特開２００３−２９０２６９号公報
【特許文献４】登録実用新案第３０４５８３５号公報
【特許文献５】登録実用新案第３０６１４６６号公報
【考案の開示】
【考案が解決しようとする課題】
【０００４】
上述した従来のチタンを含む健康装身具、衣類、身体貼り付け具等にあっては、十分な血行の促進などの健康増進効果や代謝促進効果は期待できず、また、効果の割には生産コストが高く、しかも、永続的に使用できるものではなかった。
そこで、本考案はこのような従来の問題点に鑑みてなされたもので、頗る簡単な手段でもって、血行促進などの健康増進効果や代謝効果により永続的かつ効果的な健康装身具、衣類、身体貼り付け具を低廉に提供することを目的とする。
【課題を解決するための手段】
【０００５】
上述の如き従来の問題点を解決し、所期の目的を達成するため本考案のチタン粉末を含有する発泡体シートは、高圧水中で酸素と水素の混合ガスを燃焼させ、その燃焼ガスで金属チタンを加熱し、粉末化させることにより製造された、不純物を含まないチタン粉末をエラストマー材料に配合してなることを特徴としている。
【０００６】
すなわち、本考案は以下の構成よりなる。
（１）高圧水中で酸素と水素の混合ガスを燃焼させ、その燃焼ガスで金属チタンを加熱し、粉末化させることにより得られたチタン粉末をエラストマー材料に配合してなる発泡体シート。
（２）上記チタン粉末が、発泡体シートに対して１〜２０wt％を占めることを特徴とする請求項１に記載の発泡体シート。
（３）上記チタン粉末が、ゴム、ウレタン系及びスチレン系エラストマーの単独又は混合物に配合されたものである請求項１又は２に記載の発泡体シート。
（４）請求項１〜３のいずれかに記載の発泡体シートを配設したことを特徴とする身体装身具、衣類、サポーター、包帯、マスク、ヘッドマスク、手袋、腹巻き、ソックス、帽子、肌着又は運動着。
【考案の効果】
【０００７】
本考案の発泡体シートは、特定の製造法で製造されたチタン粉末をエラストマーに練り込んで成形した発泡体シート用いることによりチタン粉末を高分子エラストマーに練り込んで形成した発泡体シートの効果によって身体の患部を刺激して血行を促進し、痛みを癒すことができるといった効果を奏すると共に、従来のチタンを含有する身体装身具等や磁性体を用いたものと違って、身体から取り外さない限り、永続的に効き目があるといった優れた効果を奏するものである。
【考案を実施するための最良の形態】
【０００８】
本考案の発泡体シートに用いられるチタン粉末は、従来の金属粉末の製造方法やチタン粉末の製造方法とはその発想が全く異なるもので、高圧水中で酸素と水素の混合ガスを燃焼させ、その燃焼ガスで元素金属チタンを溶融させることによって水中に沈下した金属粉末であり、金属粉末以外の複製物や不純物などの生成が全くなく、得られた金属粉末の球状形状の均一性や粉末粒度の一定性が優れており、経済性が高い。
【０００９】
このようなチタン粉末の部分還元焼結体の表面には半導体膜が形成されており、金属チタンの血行促進などの生理作用や電磁気作用などの特性を活かして従来の健康刺激体に比べて優れた健康増進の機能を発揮しようとするものである。これらチタンの作用は、チタンが皮膚に直接接触しなくても有効であり、効能発生速度も比較的速く、長期間にわたりその効力を維持しており健康増進や代謝促進効果が顕著である。
【００１０】
高圧水中で酸素と水素の混合ガスを燃焼させ、その燃焼ガスで金属チタンを溶融させることにより得たチタン粉末をウレタン系ポリマー、スチレン系ポリマーやパラフィン系オイルなどのスチレン系熱可塑性エラストマー、又はゴムを主体とする単独、又は混合物等に均一に練り込み、金属製の型に流し込み、発泡、成形して本考案のチタン粉末を含有する発泡体シートを製造することができ、生産効率もよく、大量生産可能である。
【００１１】
このようにしてチタン粉末を含有する発泡体シートは、健康装身具、衣類、身体貼り付け具等の支持体に取り付けて健康に良好な健康装身具、衣類、身体貼り付け具等を完成することができる。チタン粉末を含有する発泡体ートの素材としては、健康装身具、衣類、身体貼り付け具等を身体に装着した際にチタン粉末を含有する発泡体シートが快適な強さで身体表面に圧接保持されるように可撓性のある高分子エラストマーが好ましく、発泡体シートの厚さは３〜８ｍｍが好ましい。また、発泡体シートにおけるチタン粉末の含有量は、１〜２０wt％が好ましく、これより少ない含有量では、効果が少なく、２０wt％より含有量を多くしても効果は変わらない。
【００１２】
このように本考案によるチタン粉末含有の発泡体シートは、衝撃吸収性に優れる、軽量でのびが優れる、比較的良好な耐熱性を有することを特徴としており、該シートをカットして身体のサポートしたい箇所に自由に活用できる。
【００１３】
さらに、このようにチタン粉末を含有した発泡体シートには、必要ならばトルマリン、ゼオライト、雲母、そのほかの金属類の粉末を該チタン粉末とともにエラストマー中に練り込んで発泡体シートとすることもできる。
【００１４】
チタン粉末を含有した発泡体シートを健康装身具、衣類、身体貼り付け具等の支持体に配設する際、該シートをカットして直接用いることもできるし、該発泡体シートを、適度な伸縮性と強度のある素材で包んで用いても、健康装身具、衣類、身体貼り付け具等を支持体として容易に装着可能であり、優れたフィット感と適応性の高いホールド感を支持体の素材と相まって実現でき、本考案のチタン粉末の生理活性機能を十分発揮することができる。
【実施例】
【００１５】
図１〜４は本考案の発泡体シートの使用の実施例を示す。
図１は、チタン粉末を含有した発泡体シート１を短冊型にカットし、接着剤で取り付けたリストバンド２を身体に適用し装着した図である。図２は同様にカットした発泡体シート４を肘サポーター３に適用し装着した図である。
また、図３は、身体の患部に当たるシャツ５の適当な箇所に発泡体シート４を取り付けた図であり、図４は、足首サポーター６に発泡体シートを所定形状の２ＷＡＹ生地を使用して包み込んだパット７を支持体に装着した図である。
【００１６】
なお、本考案の発泡体シートは本実施例に限定されることなく、本考案の目的の範囲内で自由に設計変更し得るものであり、本考案はそれらの全てを包摂するものである。
【図面の簡単な説明】
【００１７】
【図１】本考案のチタン粉末含有の発泡体シートをリストバンドに適用し、身体に装着した図。
【図２】本考案のチタン粉末含有の発泡体シートを肘サポーターに適用し、身体に装着した図。
【図３】本考案のチタン粉末含有の発泡体シートをシャツに適用した図。
【図４】本考案のチタン粉末含有の発泡体シートをフルオープンタイプの足首サポーターに適用した図。
【符号の説明】
【００１８】
１  チタン粉末を含有する発泡体シート
２  リストバンドの支持体
３  肘サポーター
４  短冊型に切断したチタン粉末を含有する発泡体シート
５  シャツ
６  足首サポーター
７  蝶の形に切断したチタン粉末を含有する発泡体シートを包み込んだパット
【図１】
0003108493.tif 000003
【図２】
0003108493.tif 000004
【図３】
0003108493.tif 000005
【図４】
0003108493.tif 000006